(57)【要約】【課題】バッテリを着脱可能に構成された電動工具において、バッテリの外部露出箇所の損傷対策に資する技術を提供する。【解決手段】ハンマドリル１は、前後方向に延在する作業軸Ａ１に交差して上下方向に延在する回転軸Ａ２を有するモータ２と、モータ２を収容するハウジング１０と、バッテリ９を着脱可能に構成され、ハウジング１０に設けられ、上下方向においてモータ２を挟んで作業軸Ａ２とは反対側に配置されたバッテリ装着部６と、ハウジング１０の外表部に設けられたバッテリ保護部７とを備える。バッテリ装着部６は、バッテリ９の上端部がバッテリ装着部６に装着され、バッテリ９の下端部がハウジング１０から露出するように構成されている。バッテリ保護部７は、バッテリ装着部６にバッテリ９の上端部が装着された場合にバッテリ９の下端部の少なくとも１つの隅部領域９０を外力から保護するように構成されている。【選択図】  図１
2018079557.tif 000002
【特許請求の範囲】
【請求項１】
電動工具であって、
前記電動工具の前後方向に延在する作業軸に対して交差する方向に延在する回転軸を有するモータと、
前記モータを収容するハウジングと、
少なくとも１つのバッテリを着脱可能に構成されたバッテリ装着部であって、前記ハウジングに設けられ、前記回転軸の延在方向において、前記モータを挟んで前記作業軸とは反対側に配置されたバッテリ装着部と、
前記ハウジングの外表部に設けられたバッテリ保護部とを備え、
前記バッテリ装着部は、前記回転軸の前記延在方向において、前記少なくとも１つのバッテリの一端部が前記バッテリ装着部に装着され、且つ、前記バッテリの反対側端部が前記ハウジングから露出するように構成されており、
前記バッテリ保護部は、前記バッテリ装着部に前記一端部が装着された場合に、前記少なくとも１つのバッテリの前記反対側端部の少なくとも１つの隅部領域を外力から保護するように構成されていることを特徴とする電動工具。
【請求項２】
請求項１に記載の電動工具であって、
前記バッテリ保護部は、前記ハウジングの一部によって形成されていることを特徴とする電動工具。
【請求項３】
請求項１に記載の電動工具であって、
前記バッテリ保護部は、前記ハウジングとは別の部材として形成され、前記ハウジングに取り付けられていることを特徴とする電動工具。
【請求項４】
請求項３に記載の電動工具であって、
前記バッテリ保護部は、前記ハウジングとは異なる材料で形成されていることを特徴とする電動工具。
【請求項５】
請求項１〜４の何れか１つに記載の電動工具であって、
前記バッテリ保護部は、前記前後方向において、前記バッテリ装着部に対して夫々両側に配置された前側保護部と後側保護部とを含むことを特徴とする電動工具。
【請求項６】
請求項１〜４の何れか１つに記載の電動工具であって、
前記バッテリ保護部は、前記作業軸および前記回転軸に交差する方向において、前記バッテリ装着部の前部領域の両側に配置された一対の前側保護部と、前記バッテリ装着部の後部領域の両側に配置された一対の後側保護部とを含むことを特徴とする電動工具。
【請求項７】
請求項１〜６の何れか１つに記載の電動工具であって、
前記バッテリ装着部は、複数のバッテリを、前記前後方向に並んだ状態で着脱可能に構成されていることを特徴とする電動工具。
【請求項８】
請求項１〜７の何れか１つに記載の電動工具であって、
前記作業軸が水平方向に延在し、前記回転軸が上下方向に延在するように前記電動工具が配置された場合、前記バッテリ装着部は前記モータに対して下側に配置され、
前記バッテリ保護部は、前記バッテリ保護部の下面が、前記バッテリ装着部に装着されたときの前記バッテリの下面と略面一となるように構成されていることを特徴とする電動工具。
【請求項９】
請求項１〜８の何れか１つに記載の電動工具であって、
前記バッテリ保護部は、前記バッテリが前記バッテリ装着部に装着された場合の前記電動工具の重心と前記隅部領域とを結ぶ仮想直線に直交し、且つ、前記隅部領域を通る仮想平面よりも、前記重心から離れる方向に突出するように形成されていることを特徴とする電動工具。
【請求項１０】
請求項１〜９の何れか１つに記載の電動工具であって、
前記バッテリ保護部の内部空間に配置され、前記隅部領域の保護とは異なる機能を発揮するように構成された付加機構を更に備えたことを特徴とする電動工具。
【請求項１１】
請求項２および５〜１０の何れか１つに記載の電動工具であって、
前記バッテリ保護部を形成する前記ハウジングの前記一部は、樹脂製であって、
前記バッテリ保護部に少なくとも一部が配置された金属製の補強部材を更に備えたことを特徴とする電動工具。
【請求項１２】
請求項１〜１１の何れか１つに記載の電動工具であって、
前記バッテリ装着部には、前記回転軸の前記延在方向における長さが異なる複数種類のバッテリを選択的に着脱可能であって、
前記バッテリ保護部は、前記回転軸の前記延在方向における長さを調整可能に構成されていることを特徴とする電動工具。
【発明の詳細な説明】
【技術分野】
【０００１】
本発明は、バッテリを着脱可能に構成された電動工具に関する。
【背景技術】
【０００２】
充電式のバッテリを動力源とする様々な電動工具が知られている。例えば、特許文献１には、前後方向に延在する打撃軸上で工具ビットを直線動作させる打撃工具であって、モータを収容する工具本体と、工具本体の後端部に連接され、上下方向に延在するハンドグリップとを備えた打撃工具が開示されている。工具本体には、モータの後方、且つハンドグリップの下方に、２つのバッテリが着脱可能なバッテリ装着部が設けられている。
【先行技術文献】
【特許文献】
【０００３】
【特許文献１】特開２０１４−１４８０１４号公報
【発明の概要】
【発明が解決しようとする課題】
【０００４】
上記打撃工具とは異なり、バッテリの装着位置を、モータの後方ではなく下方とした場合、典型的には、バッテリ上部の工具本体への装着箇所を除くバッテリ全体が、工具本体の外部に露出してしまいやすい。このため、落下等、何らかの原因でバッテリに対して外力が加えられた場合、バッテリが損傷する可能性が高くなる。そこで、このようなバッテリの装着位置が採用される場合には、バッテリの工具本体（ハウジング）からの露出箇所の損傷対策が望まれる。
【０００５】
本発明は、バッテリを着脱可能に構成された電動工具において、バッテリのハウジングからの露出箇所の損傷対策に資する技術を提供することを課題とする。
【課題を解決するための手段】
【０００６】
本発明の一態様によれば、モータと、ハウジングと、バッテリ装着部と、バッテリ保護部とを備えた電動工具が提供される。
【０００７】
モータは、電動工具の前後方向に延在する作業軸に対して交差する方向に延在する回転軸を有する。ハウジングは、モータを収容する。バッテリ装着部は、少なくとも１つのバッテリを着脱可能に構成されている。また、バッテリ装着部は、ハウジングに設けられ、モータの回転軸の延在方向において、モータを挟んで作業軸とは反対側に配置されている。バッテリ保護部は、ハウジングの外表部に設けられている。バッテリ装着部は、モータの回転軸の延在方向において、少なくとも１つのバッテリの一端部がバッテリ装着部に装着され、且つ、バッテリの反対側端部がハウジングから露出するように構成されている。バッテリ保護部は、バッテリ装着部にバッテリの一端部が装着された場合に、少なくとも１つのバッテリの反対側端部の少なくとも１つの隅部領域を外力から保護するように構成されている。
【０００８】
なお、上記の「電動工具」とは、バッテリから供給される電力を使用して動作し、工作等に使用されるツール一般をいう。また、電動工具の「作業軸」とは、例えば、打撃子を直線状に駆動するように構成されたいわゆる打撃工具（例えば、ハンマドリル）においては、打撃子の駆動軸に対応する。また、例えば、最終出力シャフトを回転駆動するように構成されたいわゆる回転工具（例えば、シャーレンチ）においては、最終出力シャフトの回転軸に対応する。
【０００９】
ハウジングは、いわゆる工具本体とも称される部分であり、少なくともモータを収容可能に構成されていればよい。例えば、ハウジングは、モータを収容する部分と、その他の内部機構を収容する部分とが別個に形成され、連結されていてもよい。また、いわゆる防振ハウジングと称される、互いに相対移動可能に弾性要素を介して連結された複数の部分で構成されたハウジングであってもよい。
【００１０】
バッテリ装着部に装着可能なバッテリの形状は特に限定されるものではないが、典型的な形状としては、略直方体形状（角が面取りされている形状を含む）が挙げられる。略直方体形状のバッテリの場合には、隅部領域は、直方体の頂点に対応する領域と言い換えられてもよい。また、「ハウジングから露出する」とは、ハウジングの外部に配置されている、外部に向かって開放状に露出されているとも言い換えることができる。
【００１１】
バッテリ装着部にバッテリの一端部が装着された場合、外部に露出した反対側端部の隅部領域は、他の領域に比べ、外力が加わった場合に損傷を受けやすい箇所である。これに対し、本態様の電動工具は、バッテリ保護部によって、バッテリの反対側端部の少なくとも１つの隅部領域を外力から保護し、バッテリが損傷する可能性を低減することができる。
【００１２】
本発明の一態様によれば、バッテリ保護部は、ハウジングの一部によって形成されていてもよい。本態様によれば、部品点数を増加させることなく、バッテリ保護部を簡便に形成することができる。
【００１３】
本発明の一態様によれば、バッテリ保護部は、ハウジングとは別の部材として形成され、ハウジングに取り付けられていてもよい。なお、ハウジングに対するバッテリ保護部の取付け方法は特に限定されるものではなく、例えば、ハウジングと同じ材料または異なる材料で予め形成されたバッテリ保護部が、ハウジングに対して、接着、ネジによる固定、挟み込み等の方法によって取り付けられてもよい。あるいは、ハウジングとは別の材料によるバッテリ保護部がハウジングと共に一体成形されることで、ハウジングに取り付けられてもよい。本態様によれば、ハウジングをシンプルな形状で保ちつつ、バッテリ保護部の設計の自由度を高めることができる。
【００１４】
本発明の一態様によれば、バッテリ保護部は、ハウジングとは異なる材料で形成されていてもよい。本態様によれば、ハウジングとバッテリ保護部とを、夫々に適した材料で形成することができる。
【００１５】
本発明の一態様によれば、バッテリ保護部は、前後方向において、バッテリ装着部に対して夫々両側に配置された前側保護部と後側保護部とを含んでもよい。本態様によれば、バッテリ装着部の前側と後側に２つの保護部（前側保護部と後側保護部）が設けられることで、前側に配置された隅部領域と後側に配置された隅部領域とを外力から保護することができる。
【００１６】
本発明の一態様によれば、バッテリ保護部は、作業軸および回転軸に交差する方向において、バッテリ装着部の前部領域の両側に配置された一対の前側保護部と、バッテリ装着部の後部領域の両側に配置された一対の後側保護部とを含んでもよい。バッテリ装着部の前部領域と後部領域の夫々の両側に保護部が設けられることで、前側に配置された隅部領域と後側に配置された隅部領域とを外力から保護することができる。
【００１７】
本発明の一態様によれば、バッテリ装着部は、複数のバッテリを、前後方向に並んだ状態で着脱可能に構成されていてもよい。本態様によれば、電動工具は、１つのバッテリのみが装着可能な電動工具に比べ、バッテリ装着部に装着された複数のバッテリを用いて、より高い出力を発揮することができる。
【００１８】
本発明の一態様によれば、作業軸が水平方向に延在し、回転軸が上下方向に延在するように電動工具が配置された場合、バッテリ装着部はモータに対して下側に配置され、バッテリ保護部は、バッテリ保護部の下面が、バッテリ装着部に装着されたときのバッテリの下面と略面一となるように構成されていてもよい。本態様によれば、バッテリ保護部の下面とバッテリの下面を載置面として、電動工具を地面や床面に安定した姿勢で載置することができる。
【００１９】
本発明の一態様によれば、バッテリ保護部は、バッテリがバッテリ装着部に装着された場合の電動工具の重心と隅部領域とを結ぶ仮想直線に直交し、且つ、隅部領域を通る仮想平面よりも、重心から離れる方向に突出するように形成されていてもよい。一般的に、バッテリが装着された状態で電動工具が落下した場合、電動工具の重心が隅部領域にのった状態で（言い換えると、重心が隅部領域の真上に位置する姿勢で、または、隅部領域に電動工具の全重量が作用する状態で）隅部領域が地面や床に衝突すると、隅部領域に加わる衝撃が大きくなり、損傷の可能性が高まる。これに対し、本態様によれば、バッテリ保護部を上記仮想平面よりも突出するように形成することで、隅部領域に重心が乗った状態で電動工具が落下した場合でも、バッテリ保護部が先に地面や床に衝突するため、隅部領域を効果的に保護することができる。
【００２０】
本発明の一態様によれば、電動工具は、バッテリ保護部の内部空間に配置され、バッテリの隅部領域の保護とは異なる機能を発揮するように構成された付加機構を更に備えていてもよい。本態様によれば、空きスペースとなりやすいバッテリ保護部の内部空間を有効活用して、電動工具の利便性を高めることができる。
【００２１】
本発明の一態様によれば、バッテリ保護部を形成するハウジングの一部が樹脂製であって、電動工具は、バッテリ保護部に少なくとも一部が配置された金属製の補強部材を更に備えていてもよい。本態様によれば、バッテリ保護部が外力を受けた場合に、バッテリ保護部が損傷する可能性を低減することができる。これにより、バッテリが損傷する可能性をより確実に低減することができる。
【００２２】
本発明の一態様によれば、バッテリ装着部には、回転軸の延在方向における長さが異なる複数種類のバッテリを選択的に着脱可能であって、バッテリ保護部は、回転軸の延在方向における長さを調整可能に構成されていてもよい。本態様によれば、バッテリ装着部に装着されるバッテリの長さに応じて、バッテリ保護部の長さを調整できる。これにより、装着されたバッテリの隅部領域を適切に保護することができる。
【図面の簡単な説明】
【００２３】
【図１】第１実施形態に係るハンマドリルの縦断面図である。
【図２】ハウジングの一部が取り外された状態のハンマドリルを背面視で示す説明図である。
【図３】第２実施形態に係るハンマドリルの一部の縦断面図である。
【図４】ハンマドリルの一部の背面図である。
【図５】第３実施形態に係るハンマドリルの一部の縦断面図である。
【図６】第４実施形態に係るハンマドリルの縦断面図である。
【図７】ハンマドリルの一部の背面図である。
【図８】第５実施形態に係るハンマドリルの一部の縦断面図である。
【図９】第６実施形態に係るハンマドリルの一部の縦断面図である。
【図１０】第７実施形態に係るハンマドリルの縦断面図である。
【図１１】第８実施形態に係るハンマドリルの一部の縦断面図である。
【図１２】第９実施形態に係るハンマドリルの一部の縦断面図である。
【図１３】第９実施形態に係るハンマドリルの一部の別の縦断面図である。
【発明を実施するための形態】
【００２４】
以下、図面を参照して、実施形態について説明する。なお、以下の実施形態では、電動工具の一例として、ハンマドリルを例示する。
【００２５】
＜第１実施形態＞
以下、図１および図２を参照して、第１実施形態に係るハンマドリル１０１について説明する。ハンマドリル１０１は、バッテリ９を動力源として、先端工具１８を所定の作業軸Ａ１に沿って直線状に駆動する動作（打撃動作）や、先端工具１８を作業軸Ａ１周りに回転駆動する動作（ドリル動作）を行うように構成されている。
【００２６】
まず、ハンマドリル１０１の概略構成について説明する。図１に示すように、ハンマドリル１０１の外郭は、主としてハウジング１０によって形成されている。本実施形態のハウジング１０は、いわゆる防振ハウジングとして構成されており、第１ハウジング部１１と、第１ハウジング部１１に対して相対移動可能に弾性連結された第２ハウジング部１３とを含む。
【００２７】
第１ハウジング部１１は、モータ２を収容するモータ収容部１１１と、モータ２の動力によって先端工具１８を駆動するように構成された駆動機構３を収容する駆動機構収容部１１７とを含み、全体として略Ｌ字状に形成されている。駆動機構収容部１１７は、作業軸Ａ１方向に延在する長尺状に形成されている。駆動機構収容部１１７の作業軸Ａ１方向における一端部には、先端工具１８を着脱可能に構成されたツールホルダ３４が設けられている。モータ収容部１１１は、駆動機構収容部１１７の作業軸Ａ１方向におけるもう一方の端部において、駆動機構収容部１１７に対して相対移動不能に連結固定され、作業軸Ａ１に交差して、作業軸Ａ１から離れる方向に突出するように配置されている。モータ収容部１１１内には、モータ２が、モータシャフト２５の回転軸Ａ２が作業軸Ａ１に直交する方向に延在するように配置されている。
【００２８】
なお、以下の説明では、便宜上、ハンマドリル１０１の作業軸Ａ１方向をハンマドリル１０１の前後方向と規定し、ツールホルダ３４が設けられている一端部側をハンマドリル１０１の前側、反対側を後側と規定する。また、モータシャフト２５の回転軸Ａ２の延在方向をハンマドリル１０１の上下方向と規定し、駆動機構収容部１１７からモータ収容部１１１が突出する方向を下方向、反対方向を上方向と規定する。
【００２９】
第２ハウジング部１３は、把持部１３１と、上側部分１３３と、下側部分１３６とを含み、全体として略Ｕ字状に形成されている。把持部１３１は、作業者によって把持可能に構成され、モータシャフト２５の回転軸Ａ２方向（つまり上下方向）に延在するように配置される部分である。より詳細には、把持部１３１は、第１ハウジング部１１に対して後方に離間して上下方向に延在している。上側部分１３３は、把持部１３１の上端部に接続する部分である。本実施形態では、上側部分１３３は、把持部１３１の上端部から前方に延在し、第１ハウジング部１１の駆動機構収容部１１７の大部分を覆うように構成されている。下側部分１３６は、把持部１３１の下端部に接続する部分である。本実施形態では、下側部分１３６は、把持部１３１の下端部から前方に延在し、モータ収容部１１１の下側に配置されている。下側部分１３６の前後方向における中央部の下端部には、バッテリ装着部６が設けられている。ハンマドリル１０１は、バッテリ装着部６に装着されたバッテリ９から供給される電力により動作する。
【００３０】
以上の構成によって、ハンマドリル１０１では、第２ハウジング部１３に加え、第１ハウジング部１１のうちモータ収容部１１１が上側部分１３３と下側部分１３６とに上下から挟まれた状態で外部に露出して、ハンマドリル１０１の外表面を形成している。
【００３１】
以下、ハンマドリル１０１の詳細構成について説明する。まず、ハウジング１０の防振ハウジング構造について簡単に説明する。前述の通り、ハウジング１０では、モータ２および駆動機構３を収容する第１ハウジング部１１に対し、把持部１３１を含む第２ハウジング部１３が相対移動可能に弾性的に連結されることで、第１ハウジング部１１から第２ハウジング部１３（特に、把持部１３１）への振動伝達の抑制が図られている。
【００３２】
より詳細には、図１に示すように、第１ハウジング部１１の駆動機構収容部１１７と、第２ハウジング部１３の上側部分１３３との間には、左右一対の第１バネ４１が配置されている。更に、第１ハウジング部１１のモータ収容部１１１と、第２ハウジング部１３の下側部分１３６との間には、第２バネ４２が配置されている。本実施形態では、第１バネ４１および第２バネ４２は、圧縮コイルバネで構成されており、第１ハウジング部１１と第２ハウジング部１３とを、作業軸Ａ１方向において、把持部１３１が第１ハウジング部１１から離れる方向に付勢している。
【００３３】
更に、上側部分１３３および下側部分１３６は、夫々、モータ収容部１１１の上端部および下端部に対して摺動可能に構成されている。より詳細には、上側部分１３３の下面およびモータ収容部１１１の上端面は、互いに当接した状態で作業軸Ａ１方向に摺動可能な摺動面として形成されており、上側摺動部４６を構成する。また、下側部分１３６の上面およびモータ収容部１１１の下端面は、互いに当接した状態で作業軸Ａ１方向に摺動可能な摺動面として形成されており、下側摺動部４７を構成する。上側摺動部４６および下側摺動部４７は、第１ハウジング部１１と第２ハウジング部１３が作業軸Ａ１方向に相対移動するように案内する摺動ガイドとして機能する。これにより、打撃動作が行われるときに発生する振動のうち、最も大きく且つ支配的な作業軸Ａ１方向の振動が把持部１３１に伝達されるのを効果的に抑制することができる。
【００３４】
以下、第１ハウジング部１１の詳細な構成とその内部構造について説明する。
【００３５】
図１に示すように、第１ハウジング部１１のうち、モータ収容部１１１は、上側が開口した有底の矩形筒状に形成されている。駆動機構収容部１１７は、その後側部分の下端部が、モータ収容部１１１の上端部内に配置された状態で、モータ収容部１１１に対して相対移動不能に連結固定されている。本実施形態では、モータ収容部１１１には、小型で高出力なブラシレスモータがモータ２として収容されている。上下方向に延在するモータシャフト２５は、上下端部において、ベアリングによって回転可能に支持されている。モータシャフト２５の上端部は、駆動機構収容部１１７内に突出しており、この部分に駆動ギア２９が形成されている。
【００３６】
第１ハウジング部１１のうち、駆動機構収容部１１７には、運動変換機構３０と、打撃要素３６と、回転伝達機構３８とを含む駆動機構３が収容されている。
【００３７】
運動変換機構３０は、モータ２の回転運動を直線運動に変換して打撃要素３６に伝達するように構成されている。本実施形態では、運動変換機構３０として、クランク機構が採用されている。より詳細には、運動変換機構３０は、クランクシャフト３１と、連接ロッド３２と、ピストン３３と、シリンダ３５とを含む。クランクシャフト３１は、駆動機構収容部１１７の後端部にモータシャフト２５と平行に配置されている。クランクシャフト３１は、駆動ギア２９に噛合する被動ギアと、偏心ピンとを有する。連接ロッド３２の一端部は偏心ピンに連結され、他端部は連結ピンを介してピストン３３に連結されている。ピストン３３は、円筒状のシリンダ３５内に摺動可能に配置されている。シリンダ３５は、駆動機構収容部１１７の先端領域内に配置されたツールホルダ３４の後部に、同軸状に連結固定されている。モータ２が駆動されると、ピストン３３は、シリンダ３５内で作業軸Ａ１方向に往復移動される。
【００３８】
打撃要素３６は、ストライカ３６１と、インパクトボルト３６３とを含む。ストライカ３６１は、シリンダ３５内に作業軸Ａ１方向に摺動可能に配置されている。ストライカ３６１とピストン３３との間には、ピストン３３の往復移動によって生じる空気の圧力変動を介して、打撃子としてのストライカ３６１を直線状に移動させるための空気室３６５が形成されている。インパクトボルト３６３は、ストライカ３６１の運動エネルギを先端工具１８に伝達する中間子として構成され、ツールホルダ３４内に作業軸Ａ１方向に摺動可能に配置されている。
【００３９】
モータ２が駆動され、ピストン３３が前方に向けて移動されると、空気室３６５の空気が圧縮されて内圧が上昇する。このため、ストライカ３６１は、高速に前方に押し出されてインパクトボルト３６３に衝突し、運動エネルギを先端工具１８に伝達する。これにより、先端工具１８は作業軸Ａ１に沿って直線状に駆動され、被加工物を打撃する。一方、ピストン３３が後方へ移動されると、空気室３６５の空気が膨張して内圧が低下し、ストライカ３６１が後方へ引き込まれる。ハンマドリル１０１は、運動変換機構３０および打撃要素３６にこのような動作を繰り返させることで、打撃動作を行う。
【００４０】
回転伝達機構３８は、モータシャフト２５の回転動力をツールホルダ３４に伝達するように構成されている。本実施形態では、回転伝達機構３８は、複数のギアを含むギア減速機構として構成されており、モータ２の回転動力は、適宜減速された上でツールホルダ３４に伝達される。なお、回転伝達機構３８の動力伝達経路上には、噛合い式のクラッチが配置されている。クラッチが係合状態に置かれた場合には、回転伝達機構３８によってモータシャフト２５の回転動力がツールホルダ３４に伝達され、ツールホルダ３４に装着された先端工具１８が作業軸Ａ１周りに回転駆動される。一方、クラッチの係合状態が解除された場合には、回転伝達機構３８によるツールホルダ３４への動力伝達が遮断され、先端工具１８は回転駆動されない。
【００４１】
本実施形態のハンマドリル１０１は、駆動機構収容部１１７の上端部に回動可能に配置されたモード切替ダイヤル４の操作により、ハンマモードおよびハンマドリルモードの２つの駆動モードのうち一方が選択可能に構成されている。ハンマモードは、クラッチが係合解除状態とされ、運動変換機構３０のみが駆動されることで、打撃動作のみが行われる駆動モードである。ハンマドリルモードは、クラッチが係合状態とされ、運動変換機構３０および回転伝達機構３８が駆動されることで、打撃動作およびドリル動作が行われる駆動モードである。なお、かかるモード切替えのための機構については、周知の技術であるため、ここでの説明は省略する。
【００４２】
以下、第２ハウジング部１３の詳細な構成とその内部構造について説明する。
【００４３】
図１に示すように、上側部分１３３の後側部分は、下側が開口した略矩形箱状に形成されており、駆動機構収容部１１７の後側部分（より詳細には、運動変換機構３０および回転伝達機構３８が収容されている部分）を上方から覆っている。また、上側部分１３３の前側部分は、円筒状のバレル部１３４として形成されている。バレル部１３４は、駆動機構収容部１１７の前側部分（より詳細には、ツールホルダ３４が収容されている部分）の外周を覆っている。また、バレル部１３４の外周面には、補助ハンドルが取り外し可能に装着されている。なお、補助ハンドルは周知であるため、ここでの詳細な説明および図示は省略する。
【００４４】
把持部１３１の前部には、作業者による押圧操作が可能なトリガ１４が設けられている。筒状に形成された把持部１３１の内部には、トリガ１４の操作に応じてオン状態とオフ状態との間で切り替えられるスイッチ１４５が設けられている。
【００４５】
下側部分１３６は、上側が一部開口した矩形箱状に形成されており、モータ収容部１１１の下側に配置されている。下側部分１３６の内部には、コントローラ５が配置されている。コントローラ５は、図示しない配線によって、モータ２、スイッチ１４５、バッテリ装着部６等と電気的に接続されている。コントローラ５は、トリガ１４が押圧操作され、スイッチ１４５がオン状態となると、モータ２への通電（すなわち、先端工具１８の駆動）を開始し、トリガ１４の押圧操作が解除されて、スイッチ１４５がオフ状態となると、モータ２への通電を停止するように構成されている。
【００４６】
また、前述の通り、下側部分１３６の前後方向における中央部の下端部には、バッテリ装着部６が設けられている。本実施形態では、バッテリ装着部６は、前後方向に並設され、同一構成を有する２つの装着部を含む。以下では、２つの装着部のうち、前側に配置された装着部を前側装着部６１といい、後側に配置された装着部を後側装着部６６という。前側装着部６１および後側装着部６６は、夫々、充電式のバッテリ９を着脱可能に構成されている。よって、バッテリ装着部６には、２つのバッテリ９が前後方向に並んだ状態で着脱可能である。よって、ハンマドリル１０１は、１つのバッテリ９のみが装着可能なハンマドリルに比べ、より高い出力を発揮することができる。なお、本実施形態のハンマドリル１０１に着脱可能なバッテリ９は、容量が１８ボルトのバッテリである。
【００４７】
ここで、バッテリ９の構成について、簡単に説明する。図１および図２に示すように、バッテリ９は、概ね直方体状に形成されている。バッテリ９は、フック９１と、端子（図示せず）と、一対のガイド溝９３と、ボタン９５を有する。なお、説明の便宜上、バッテリ９の方向に関しては、ハンマドリル１０１に装着された状態で、その上下方向を規定する。
【００４８】
フック９１と端子は、バッテリ９の上面に設けられている。フック９１は、バッテリ９の長手方向（図１の紙面直交方向、図２の左右方向）における一端部に、常時には上面から上方へ突出するようにバネ（図示せず）で付勢され、バッテリ９の側面に設けられたボタン９５の押圧操作で上面から下方へ引っ込むように構成されている。端子は、フック９１に隣接してバッテリ９の上面に設けられている。一対のガイド溝９３は、バッテリ９の長手方向に沿って配置された一対の側面の上端部に、長手方向に直線状に延在する溝として形成されている。
【００４９】
このような構成のバッテリ９に対応して、前側装着部６１および後側装着部６６の各々は、その下側にバッテリ９の一部が露出した状態で、バッテリ９の上端部が装着されるように構成されている。具体的には、前側装着部６１および後側装着部６６の各々は、フック係合部６０１と、一対のガイドレール６０３と、バッテリ接続端子６０５とを有する。
【００５０】
フック係合部６０１は、上方へ凹んだ凹部であって、バッテリ９のフック９１が係合可能に構成されている。一対のガイドレール６０３は、左右方向に直線状に延在し、バッテリ９の一対のガイド溝９３にスライド係合可能に構成されている。バッテリ接続端子６０５は、フック９１がフック係合部６０１に係合することでバッテリ９が前側装着部６１または後側装着部６６に装着されるのに伴い、バッテリ９の端子と電気的に接続するように構成されている。
【００５１】
なお、本実施形態では、前側装着部６１および後側装着部６６は、フック９１が左側に配置され、ガイド溝９３にガイドレール６０３が係合した状態で、ハンマドリル１０１の左方から右方へ向けてスライド係合されるように構成されている。このため、フック係合部６０１は前側装着部６１および後側装着部６６において左端部に配置され、バッテリ接続端子６０５はバッテリ９の端子に対して右方から接続するように構成されている。なお、２つのバッテリ９がバッテリ装着部６に装着されると、２つのバッテリ９の下面は、面一となる。図２に示すように、バッテリ９の長手方向（左右方向）の長さは、ハウジング１０（下側部分１３６）の左右方向の長さよりも長い。よって、バッテリ装着部６に装着された状態において、バッテリ９の左右端部は、下側部分１３６から左右方向に突出している。
【００５２】
更に、図１に示すように、下側部分１３６の外表部には、バッテリ９がバッテリ装着部６に装着された場合に、バッテリ９の露出部分のうち、下端部の少なくとも１つの隅部領域９０を外力から保護するように構成されたバッテリ保護部７が設けられている。以下、バッテリ保護部７の詳細構成について説明する。
【００５３】
本実施形態では、バッテリ保護部７は、前後方向において、バッテリ装着部６に対して両側に設けられた前側保護部７１と後側保護部７６とを含む。前側保護部７１および後側保護部７６は、夫々、ハウジング１０（下側部分１３６）の一部として形成されている。より詳細には、前側保護部７１および後側保護部７６は、夫々、下側部分１３６のうち、バッテリ装着部６を挟んでバッテリ装着部６よりも下方に突出する部分として形成されている。図１および図２に示すように、上下方向に関しては、前側保護部７１および後側保護部７６は、夫々、その下面が、バッテリ装着部６に装着されたバッテリ９の下面と概ね面一となるように構成されている。また、図２に示すように、左右方向に関しては、前側保護部７１および後側保護部７６は何れも、モータ収容部１１１および上側部分１３３と概ね同じ長さを有する。
【００５４】
本実施形態では、バッテリ９の上端部はバッテリ装着部６に装着され、下端部はバッテリ装着部６の下方に露出する。バッテリ９は略直方体形状に形成されているため、下端部の隅部領域９０は４つ（前側の左右に２つと、後側の左右に２つ）存在する。バッテリ装着部６には２つのバッテリ９が前後方向に並んで装着されるため、全体として、隅部領域９０は８つ存在する。
【００５５】
これら８つの隅部領域９０のうち、前側装着部６１に装着されたバッテリ９（以下、単に前側のバッテリ９という）の後側下端部の２つの隅部領域９０と、後側装着部６６に装着されたバッテリ９（以下、単に後側のバッテリ９という）の前側下端部の２つの隅部領域９０は、前後に並んだ２つのバッテリ９の間にあるため、外力を受けにくくなる。これらに比べて、前側のバッテリ９の前側下端部の２つの隅部領域９０と、後側のバッテリ９の後側下端部の２つの隅部領域９０は、周囲に外力に干渉する部分が少ないため、外力にさらされやすい状態にある。そこで、前側保護部７１および後側保護部７６は、これらの外力にさらされやすい隅部領域９０を保護するように設けられている。
【００５６】
具体的には、前側保護部７１は、前側のバッテリ９の前側下端部の２つの隅部領域９０を外力から保護するように構成されている。一方、後側保護部７６は、後側のバッテリ９の後側下端部の２つの隅部領域９０を外力から保護するように構成されている。より詳細には、前側保護部７１は、主に前側保護部７１よりも前方から（斜め方向を含む）前側下端部の２つの隅部領域９０に向かう外力に干渉することで、これらの隅部領域９０を保護する。後側保護部７６は、主に後側保護部７６よりも後方から（斜め方向を含む）後側下端部の２つの隅部領域９０に向かう外力に干渉することで、これらの隅部領域９０を保護する。
【００５７】
なお、２つのバッテリ９は前後方向に並んだ状態で装着されるため、２つのバッテリ９を全体として略直方体形状の１つのバッテリグループ９００としてとらえると、バッテリグループ９００の隅部領域９０は、４つ（前側装着部６１に装着されたバッテリ９の前側下端部の２つの隅部領域９０と、後側装着部６６に装着されたバッテリ９の後側下端部の２つの隅部領域９０）存在するともいえる。よって、前側保護部７１は、バッテリ装着部６に装着されたバッテリグループ９００の前側下端部の２つの隅部領域９０を外力から保護するように構成され、後側保護部７６は、バッテリグループ９００の後側下端部の２つの隅部領域９０を外力から保護するように構成されていると言い換えることもできる。つまり、バッテリ保護部７は、バッテリグループ９００の下端部の全ての隅部領域９０を外力から保護するように構成されているともいえる。
【００５８】
更に、後側保護部７６は、特に落下時の衝撃から効果的に隅部領域９０を保護するように構成されている。具体的には、２つのバッテリ９がバッテリ装着部６に装着されたときのハンマドリル１０１（図示しない補助ハンドルを含む）の重心Ｇと、後側のバッテリ９の後側下端部（バッテリグループ９００の後側下端部）の隅部領域９０とを結ぶ仮想直線を規定し、更に、仮想直線に直交し、且つ、その隅部領域９０を通る仮想平面を規定した場合、後側保護部７６は、この仮想平面よりも、重心Ｇから離れる方向に突出するように形成されている。
【００５９】
一般的に、バッテリ９が装着され、重心Ｇが隅部領域９０に乗った状態で（言い換えると、重心Ｇが隅部領域９０の真上に位置する姿勢で、または、隅部領域９０にハンマドリル１０１の全重量が作用する状態で））ハンマドリル１０１が落下し、隅部領域９０が地面や床に衝突すると、隅部領域９０に加わる衝撃が大きくなり、バッテリ９の損傷の可能性が高まる。これに対し、後側保護部７６を上記の仮想平面よりも突出するように形成することで、後側下端部の２つの隅部領域９０の何れかに重心Ｇが乗った状態でハンマドリル１０１が落下した場合でも、後側保護部７６が先に地面や床に接触するため、隅部領域９０を効果的に保護することができる。
【００６０】
なお、前側保護部７１については、重心Ｇと、前側のバッテリ９の前側下端部（バッテリグループ９００の前側下端部）の隅部領域９０とを結ぶ仮想直線に直交し、且つ、その隅部領域９０を通る仮想平面から突出はしていない。しかしながら、前側のバッテリ９の下面が仮想平面よりも突出しているため、前側下端部の隅部領域９０に重心Ｇが乗った状態でハンマドリル１０１が落下した場合、先にバッテリ９の下面が先に地面や床に接触するため、より損傷しやすい隅部領域９０を保護することができる。
【００６１】
以上に説明したように、本実施形態では、ハンマドリル１０１のハウジング１０には、モータ２の回転軸Ａ２の延在方向（上下方向）において、モータ２を挟んで作業軸Ａ１とは反対側にバッテリ装着部６が設けられている。バッテリ装着部６は、２つのバッテリ９を前後方向に並んだ状態で着脱可能に構成されている。更に、ハウジング１０の外表部には、前後方向において、バッテリ装着部６に対して夫々両側に配置された前側保護部７１と後側保護部７６とを含むバッテリ保護部７が設けられている。
【００６２】
バッテリ装着部６にバッテリ９の上端部が装着された場合、外部に露出した下端部の隅部領域９０は、他の領域に比べ、外力が加わった場合に損傷を受けやすい箇所である。特に、本実施形態のように、２つのバッテリ９が前後方向に並んだ状態で装着される場合、前側のバッテリ９の前側下端部の２つの隅部領域９０と、後側のバッテリ９の後側下端部の２つの隅部領域９０が外力にさらされやすく、損傷を受けやすい。これに対し、前側保護部７１と後側保護部７６とを設けることで、これらの隅部領域９０を外力から保護し、バッテリ９が損傷する可能性を低減することができる。また、上述の仮想平面との関係を満たす後側保護部７６によって、落下時の衝撃から後側のバッテリ９の後側下端部の２つの隅部領域９０を効果的に保護することができる。
【００６３】
また、本実施形態では、バッテリ保護部７（前側保護部７１および後側保護部７６）は、ハウジング１０の一部によって形成されている。よって、部品点数を増加させることなく、バッテリ保護部７を簡便に形成することができる。更に、バッテリ保護部７（前側保護部７１および後側保護部７６）は、その下面が、バッテリ装着部６（前側装着部６１および後側装着部６６）に装着されたときのバッテリ９の下面と略面一となるように構成されている。よって、バッテリ保護部７の下面とバッテリ９の下面を載置面として、ハンマドリル１０１を地面や床面に安定した姿勢で載置することができる。
【００６４】
なお、本実施形態では、ハンマドリル１０１は、本発明の「電動工具」に対応する構成例である。モータ２は、「モータ」に対応する構成例である。ハウジング１０は、「ハウジング」に対応する構成例である。バッテリ装着部６は、「バッテリ装着部」に対応する構成例である。バッテリ９および隅部領域９０は、夫々、「バッテリ」および「隅部領域」に対応する構成例である。バッテリ保護部７は、本発明の「バッテリ保護部」に対応する構成例であり、前側保護部７１、後側保護部７６は、夫々、「前側保護部」、「後側保護部」に対応する構成例である。
【００６５】
＜第２実施形態＞
以下、図３および図４を参照して、第２実施形態に係るハンマドリル１０２について説明する。本実施形態のハンマドリル１０２は、下側部分１３７とバッテリ保護部７０の構成が第１実施形態とは異なる以外、第１実施形態のハンマドリル１０１と概ね同一の構成を有する。よって、同一の構成については、図示および説明を省略し、主に異なる構成について図を参照して説明する。なお、この点については、第３実施形態以降の実施形態でも同様である。
【００６６】
図３および図４に示すように、本実施形態のバッテリ保護部７０は、第１実施形態と同様、前側保護部７２と後側保護部７７とを含む。一方、バッテリ保護部７０は、第１実施形態とは異なり、下側部分１３７を含むハウジング１０とは別の部材として形成され、下側部分１３７に取り付けられている。下側部分１３７は、バッテリ装着部６の前側と後側において、下方に突出している。そして、これらの突出部分を覆うように、前側保護部７２と後側保護部７７とが取り付けられている。本実施形態では、前側保護部７２および後側保護部７７は、ハウジング１０とは異なる材料で形成されている。より詳細には、本実施形態では、ハウジング１０は、軽量化と剛性とを考慮してポリアミド樹脂で形成される一方、バッテリ保護部７０は、衝撃吸収性を考慮してゴムで成形されている。なお、バッテリ保護部７０は、ハウジング１０と一体成形されることで、ハウジング１０に取り付けられている。
【００６７】
下側部分１３７とバッテリ保護部７０とを合わせた外形は、第１実施形態のバッテリ保護部７を含む下側部分１３６の外形と概ね同じである。よって、第１実施形態と同様、前側保護部７２および後側保護部７７は、その下面が、バッテリ装着部６に装着されたバッテリ９の下面と略面一になるように構成されている。また、後側保護部７７は、重心Ｇ（図１参照）と、後側のバッテリ９の後側下端部の隅部領域９０とを結ぶ仮想直線に直交し、且つ、その隅部領域９０を通る仮想平面よりも、重心Ｇから離れる方向に突出するように形成されている。
【００６８】
以上のように構成された本実施形態のバッテリ保護部７０によれば、前側保護部７２と後側保護部７７は、夫々、前側のバッテリ９の前側下端部の２つの隅部領域９０と、後側のバッテリ９の後側下端部の２つの隅部領域９０を外力から保護し、バッテリ９が損傷する可能性を低減することができる。また、後側のバッテリ９の後側下端部の２つの隅部領域９０の何れかに重心Ｇが乗った状態でハンマドリル１０２が落下した時の衝撃から、隅部領域９０を効果的に保護することができる。
【００６９】
また、本実施形態では、バッテリ保護部７０は、ハウジング１０とは異なる材料による別の部材として、ハウジング１０に一体成形によって取り付けられている。このように、バッテリ保護部７０を別の部材として形成することで、ハウジング１０をシンプルな形状に保ちつつ、バッテリ保護部７０を適切に設けることができる。また、ハウジング１０とバッテリ保護部７０とを、夫々に適切な材料で形成することができる。なお、本実施形態のように、バッテリ保護部７０がハウジング１０とは別部材とされる場合には、バッテリ保護部７０は、ハウジング１０よりも弾性係数が小さい材料で形成されることが好ましい。また、この場合、ゴムに限らず、弾性を有する材料で形成されることが好ましい。
【００７０】
なお、本実施形態では、バッテリ保護部７０は、本発明の「バッテリ保護部」に対応する構成例であり、前側保護部７２、後側保護部７７は、夫々、「前側保護部」、「後側保護部」に対応する構成例である。
【００７１】
＜第３実施形態＞
以下、図５を参照して、第３実施形態に係るハンマドリル１０３について説明する。本実施形態のハンマドリル１０３も、下側部分１３８とバッテリ保護部７００の構成が異なる以外、第１実施形態のハンマドリル１０１（図１参照）と概ね同一の構成を有する。
【００７２】
図５に示すように、本実施形態では、ハウジング１０の下側部分１３８のうち前端部は、バッテリ装着部６よりも下方に突出するように形成されており、その下面の後側部分は、前側部分に対して僅かに上方に凹む段差部７３１とされている。一方、下側部分１３８のうち後端部の下面は、バッテリ装着部６のガイドレール６０３と概ね同じ位置にある。
【００７３】
バッテリ装着部６の下方には、カバー部材７９が固定されている。カバー部材７９は、概ね矩形状の金属製の板金が側面視で概ねＬ字状をなすように屈曲されることで形成されている。カバー部材７９は、モータ２の回転軸Ａ２に概ね直交する方向に伸展する下面部７９１と、下面部７９１の後端から下面部７９１に概ね直交する方向に屈曲して伸展する側面部７９２と、側面部７９２の後端から側面部７９２に概ね直交する方向に屈曲して伸展する上面部７９３とを含む。下面部７９１の前端部は、前側保護部７３の段差部７３１に下側からネジで固定されている。また、上面部は、下側部分１３８の後端部に下側からネジで固定されている。これにより、バッテリ装着部６とカバー部材７９の間には、側面視矩形状であって、左右方向に貫通するバッテリ収容空間が形成されている。
【００７４】
バッテリ９は、ガイド溝９３がハンマドリル１０３の左方から右方へ向けてガイドレール６０３にスライド係合されることでバッテリ装着部６に対して装着され、バッテリ収容空間内に配置される。このとき、下面部７９１は、バッテリ９の下面に対向し、側面部７９２は、後側装着部６６に装着されたバッテリ９の後端面に対向するように配置される。なお、バッテリ収容空間は左側が開放されているため、カバー部材７９が固定された状態であっても、バッテリ装着部６に対してバッテリ９を着脱することが可能である。
【００７５】
本実施形態のバッテリ保護部７００は、前後方向において、バッテリ装着部６に対して両側に配置された前側保護部７３と後側保護部７８とを含む。前側保護部７３および後側保護部７８として、第１実施形態の前側保護部７１と、第２実施形態の後側保護部７７の組み合わせに対応する構成が採用されている。
【００７６】
具体的には、バッテリ保護部７００の前側保護部７３は、下側部分１３８の一部として形成される一方、後側保護部７８は、ハウジング１０とは別部材としてゴムで形成され、下側部分１３８に取り付けられている。前側保護部７３は、下側部分１３８のうち、上述のようにバッテリ装着部６よりも下方に突出するように形成された前端部によって構成されている。後側保護部７８は、カバー部材７９が下側部分１３８に固定された後、カバー部材７９の後側、且つ、下側部分１３８の後端部の下側に接着されている。前側保護部７３および後側保護部７８は、夫々の下面がカバー部材７９の下面部７９１と面一となるように構成されている。左右方向については、第１、第２実施形態と同様、バッテリ装着部６に装着された状態において、バッテリ９の左右端部は、バッテリ保護部７００から左右方向に突出する（図２参照）。
【００７７】
また、後側保護部７８は、第１、第２実施形態と同様、重心Ｇ（図１参照）と、後側のバッテリ９の後側下端部の隅部領域９０とを結ぶ仮想直線に直交し、且つ、その隅部領域９０を通る仮想平面よりも、重心Ｇから離れる方向に突出するように形成されている。
【００７８】
以上のように構成された本実施形態のバッテリ保護部７００によれば、前側保護部７３と後側保護部７８は、夫々、前側のバッテリ９の前側下端部の２つの隅部領域９０と、後側のバッテリ９の後側下端部の２つの隅部領域９０を外力から保護し、バッテリ９が損傷する可能性を低減することができる。また、特に、ゴム製の後側保護部７８によって、後側のバッテリ９の後側下端部の２つの隅部領域９０の何れかに重心Ｇが乗った状態でハンマドリル１０３が落下した時の衝撃から、隅部領域９０を効果的に保護することができる。
【００７９】
更に、バッテリ保護部７００の下面と、カバー部材７９（下面部７９１）の下面とが面一となるため、バッテリ９の装着の有無にかかわらず、バッテリ保護部７００の下面とカバー部材７９の下面を載置面として、ハンマドリル１０３を地面や床面に安定した姿勢で載置することができる。また、カバー部材７９は、主にバッテリ９の下方（斜め方向を含む）からバッテリ９に向かう外力に対して干渉することで、バッテリ９を保護することができる。
【００８０】
なお、本実施形態では、バッテリ保護部７００は、本発明の「バッテリ保護部」に対応する構成例であり、前側保護部７３、後側保護部７８は、夫々、「前側保護部」、「後側保護部」に対応する構成例である。
【００８１】
＜第４実施形態＞
以下、図６および図７を参照して、第４実施形態に係るハンマドリル１０４について説明する。本実施形態のハンマドリル１０４は、下側部分１３９とバッテリ保護部８の構成が異なる以外、第１実施形態のハンマドリル１０１（図１参照）と概ね同一の構成を有する。
【００８２】
図６に示すように、本実施形態のハンマドリル１０４は、ハウジング１０と、ハウジング１０に収容されたモータ２と、２つのバッテリ９が着脱可能に構成されたバッテリ装着部６０と、ハウジング１０の外表部に設けられたバッテリ保護部８とを備えている。ハウジング１０は、モータ２および駆動機構３を収容する第１ハウジング部１１と、第１ハウジング部１１に対して弾性連結された第２ハウジング部１３とを含む。
【００８３】
第２ハウジング部１３の下側部分１３９は、モータ２の下側に配置され、その下端部にバッテリ装着部６０を有する。本実施形態のバッテリ装着部６０は、下側部分１３９の下端部の前側部分に設けられた前側装着部６２と、後側部分に設けられた後側装着部６７とを含む。
【００８４】
図６および図７に示すように、前側装着部６２および後側装着部６７は、同一構成を有し、第１実施形態と同様、フック係合部６０１と、一対のガイドレール６０３と、バッテリ接続端子６０５とを含む。一方、バッテリ第１実施形態とは異なり、前側装着部６２は、バッテリ９が前側から装着されるように構成され、後側装着部６７は、バッテリ９が後側から装着されるように構成されている。具体的には、前側装着部６２および後側装着部６７のガイドレール６０３は、夫々、前後方向に延在する。また、前側装着部６２では、フック係合部６０１は前端部に配置され、バッテリ接続端子６０５はバッテリ９の端子に対して後方から接続するように構成されている。後側装着部６７では、フック係合部６０１は後端部に配置され、バッテリ接続端子６０５はバッテリ９の端子に対して前方から接続するように構成されている。
【００８５】
本実施形態のバッテリ保護部８は、下側部分１３９の前端部に設けられた一対の前側保護部８１と、後端部に設けられた一対の後側保護部８６とを含む。一対の前側保護部８１および一対の後側保護部８６は、夫々、下側部分１３９の一部として形成されている。具体的には、一対の前側保護部８１は、薄板状に形成され、前側装着部６２の前部領域を挟んで左右方向に互いに対向し、且つ、前側装着部６２よりも下方に突出するように配置されている。なお、一対の前側保護部８１および一対の後側保護部８６の夫々の対向面には、補強リブ８０１が設けられている。また、一対の後側保護部８６は、薄板状に形成され、後側装着部６７の後部領域を挟んで左右方向に互いに対向し、且つ、前側装着部６２よりも下方に突出するように配置されている。バッテリ装着部６０にバッテリ９が装着されると、一対の前側保護部８１および一対の後側保護部８６は、夫々、前側のバッテリ９の前端部および後側のバッテリ９の後端部の左右両側に配置される。
【００８６】
本実施形態では、一対の前側保護部８１および一対の後側保護部８６は、バッテリ装着部６０にバッテリ９が装着された場合にバッテリ９の下面よりも下方に僅かに突出し、且つ、夫々の下面が概ね面一となるように形成されている。
【００８７】
更に、本実施形態では、左右一対の前側保護部８１は、夫々、バッテリ９がバッテリ装着部６０に装着されたときのハンマドリル１０４（補助ハンドルを含む）の重心Ｇと、前側のバッテリ９の前側下端部（バッテリグループ９０１の前側下端部）の左右の隅部領域９０の夫々とを結ぶ仮想直線に直交し、且つ、その隅部領域９０を通る仮想平面よりも、重心Ｇから離れる方向に突出するように形成されている。同様に、左右一対の後側保護部８６は、夫々、重心Ｇと後側のバッテリ９の後側下端部（バッテリグループ９０１の後側下端部）の左右の隅部領域９０の夫々とを結ぶ仮想直線に直交し、且つ、その隅部領域９０を通る仮想平面よりも、重心Ｇから離れる方向に突出するように形成されている。
【００８８】
以上のように構成された本実施形態のバッテリ保護部８によれば、一対の前側保護部８１は、主に一対の前側保護部８１よりも左方または右方（斜め方向を含む）から前側下端部の２つの隅部領域９０に向かう外力に干渉することで、これらの隅部領域９０を保護することができる。また、一対の後側保護部８６は、主に一対の後側保護部８６よりも左方または右方（斜め方向を含む）から後側下端部の２つの隅部領域９０に向かう外力に干渉することで、これらの隅部領域９０を保護することができる。つまり、バッテリ９が損傷する可能性を低減することができる。また、一対の前側保護部８１および一対の後側保護部８６によって、バッテリグループ９０１の下端部の４つの隅部領域９０の何れかに重心Ｇが乗った状態でハンマドリルが落下した時の衝撃から、隅部領域９０を効果的に保護することができる。
【００８９】
また、バッテリグループ９０１を囲むように４か所に配置される一対の前側保護部８１および一対の後側保護部８６の下面を載置面として、ハンマドリル１０４を地面や床面に安定した姿勢で載置することができる。
【００９０】
なお、本実施形態では、バッテリ保護部８は、本発明の「バッテリ保護部」に対応する構成例であり、一対の前側保護部８１、一対の後側保護部８６は、夫々、「一対の前側保護部」、「一対の後側保護部」に対応する構成例である。
【００９１】
＜第５実施形態＞
以下、図８を参照して、第５実施形態に係るハンマドリル１０５について説明する。本実施形態のハンマドリル１０５は、第１実施形態のハンマドリル１０１（図１参照）のバッテリ保護部７内に、無線連動ユニット７１１が設けられた変形例に相当する。
【００９２】
図８に示すように、本実施形態のバッテリ保護部７は、第１実施形態と同じく、前側保護部７１と後側保護部７６とを含む。つまり、前側保護部７１および後側保護部７６は、夫々、ハウジング１０（下側部分１３６）の一部として形成され、バッテリ装着部６の前側と後側でバッテリ装着部６よりも下方に延在している。このような構成により、前側保護部７１と後側保護部７６には、空きスペースとしての内部空間が形成されている。そこで、本実施形態では、前側保護部７１の内部空間に、無線連動ユニット７１１が収容されている。
【００９３】
無線連動ユニット７１１は、バッテリ９の隅部領域９０の保護とは異なる機能を発揮する付加機構であって、外部機器と無線通信が可能に構成されている。本実施形態では、無線連動ユニット７１１は、コントローラ５からの制御信号に従って、ハンマドリル１０５とは別個の定置式の集塵機に対し、アンテナ（図示略）を介して、所定の周波数帯の電波を使って所定の連動信号を無線送信するように構成されている。なお、このようなシステム自体は公知であるため、簡単に説明すると、コントローラ５は、トリガ１４（図１参照）が押圧操作され、スイッチ１４５（図１参照）がオン状態とされている間、無線連動ユニット７１１に連動信号を送信させる。集塵機のコントローラは、無線連動ユニット７１１から送信された連動信号を受信している間、集塵機のモータを駆動するように構成されている。つまり、ハンマドリル１０５の使用者は、トリガ１４の押圧操作をするだけで、集塵機をハンマドリル１０５に連動して動作させることができる。
【００９４】
以上のように構成された本実施形態のハンマドリル１０５によれば、バッテリ９の隅部領域９０を外力から保護し、損傷の可能性を低減することができることに加え、バッテリ保護部７の内部空間を有効活用して、集塵機との連動機能を実現することができる。本実施形態では、無線連動ユニット７１１は、本発明の「付加機構」に対応する構成例である。なお、無線連動ユニット７１１は、前側保護部７１ではなく、後側保護部７６の内部空間に収容されていてもよい。また、無線連動ユニット７１１は、集塵機に対して連動信号を送信するもの限られず、その他の外部機器（例えば、携帯端末）と無線通信を行うように構成されていてもよい。
【００９５】
＜第６実施形態＞
以下、図９を参照して、第６実施形態に係るハンマドリル１０６について説明する。本実施形態のハンマドリル１０６は、第１実施形態のハンマドリル１０１（図１参照）のバッテリ保護部７内に、ＵＳＢ端子７１２が設けられた変形例に相当する。
【００９６】
図９に示すように、本実施形態でも、前側保護部７１および後側保護部７６は、夫々、ハウジング１０（下側部分１３６）の一部として形成され、バッテリ装着部６の前側と後側でバッテリ装着部６よりも下方に延在している。そして、本実施形態では、前側保護部７１の内部空間に、２つのＵＳＢ端子７１２が配置されている。ＵＳＢ端子７１２は、バッテリ９の隅部領域９０の保護とは異なる機能を発揮する付加機構であって、外部のＵＳＢ機器（例えば、携帯端末）に電気的に接続可能に構成されている。これにより、例えば、バッテリ装着部６に装着されたバッテリ９を利用して、ＵＳＢ端子７１２を介して接続されたＵＳＢ機器を充電することが可能となる。
【００９７】
以上のように構成された本実施形態のハンマドリル１０６によれば、バッテリ９の隅部領域９０を外力から保護し、損傷の可能性を低減することができることに加え、バッテリ保護部７の内部空間を有効活用して、バッテリ９からＵＳＢ機器への電力供給機能を実現することができる。なお、ＵＳＢ端子７１２は、前側保護部７１ではなく、後側保護部７６の内部空間に収容されていてもよいし、その数は、１つでも、３つ以上であってもよい。また、ＵＳＢ端子７１２に代えて、他の通信規格に基づく外部機器の接続端子が設けられていてもよい。本実施形態では、ＵＳＢ端子７１２は、本発明の「付加機構」に対応する構成例である。
【００９８】
＜第７実施形態＞
以下、図１０を参照して、第７実施形態に係るハンマドリル１０７について説明する。本実施形態のハンマドリル１０７は、第１実施形態のハンマドリル１０１（図１参照）のバッテリ保護部７内に、距離センサ７１３が設けられた変形例に相当する。
【００９９】
図１０に示すように、本実施形態でも、前側保護部７１および後側保護部７６は、夫々、ハウジング１０（下側部分１３６）の一部として形成され、バッテリ装着部６の前側と後側でバッテリ装着部６よりも下方に延在している。そして、本実施形態では、前側保護部７１の内部空間に、距離センサ７１３が配置されている。距離センサ７１３は、バッテリ９の隅部領域９０の保護とは異なる機能を発揮する付加機構であって、所定の検出範囲内にある物体との間の距離を測定可能に構成されている。本実施形態では、赤外線方式の距離センサ７１３が採用されており、前側保護部７１の前壁部に設けられた貫通孔から赤外発光ダイオードの光を投光し、物体により反射された光が受光素子上で入射した位置に応じて距離を測定するように構成されている。
【０１００】
ハンマドリル１０７がドリル動作によって加工対象物１９に対して穿孔作業を行う場合、作業開始時の加工対象物１９までの測定距離と、作業中の測定距離との差は、形成された孔の深さに概ね対応する。よって、例えば、コントローラ５は、算出された孔の深さが、使用者が予め設定した深さに達した場合、モータ２（図１参照）の駆動を停止したり、ＬＥＤランプ(図示せず）やブザー等により、報知を行ったりすることができる。
【０１０１】
以上のように構成された本実施形態のハンマドリル１０７によれば、バッテリ９の隅部領域９０を外力から保護し、損傷の可能性を低減することができることに加え、バッテリ保護部７の内部空間を有効活用して、穿孔作業で形成された孔の深さの測定機能を実現することができる。なお、距離センサ７１３の距離測定方式は、上記の例に限られず、超音波方式等、他のいかなる方式が採用されてもよい。本実施形態では、距離センサ７１３は、本発明の「付加機構」に対応する構成例である。
【０１０２】
＜第８実施形態＞
以下、図１１を参照して、第８実施形態に係るハンマドリル１０８について説明する。本実施形態のハンマドリル１０８は、第１実施形態のハンマドリル１０１（図１参照）のバッテリ保護部７が補強部材８０３、８０５によって補強された変形例に相当する。
【０１０３】
図１１に示すように、本実施形態でも、前側保護部７１および後側保護部７６は、夫々、ハウジング１０（下側部分１３６）の一部として形成され、バッテリ装着部６の前側と後側でバッテリ装着部６よりも下方に延在している。そして、本実施形態では、前側保護部７１および後側保護部７６の内部には、夫々、金属製の補強部材８０３、８０５が設けられている。より詳細には、補強部材８０３は、前側保護部７１を構成する下側部分１３６の壁部のうち、前壁部（下側部分１３６の前壁部）、底壁部、後壁部（前側装着部６１の前端部から下方に延在する壁部）の内面に沿って配置されている。同様に、補強部材８０５は、後側保護部７６を構成する下側部分１３６の壁部のうち、前壁部（後側装着部６６の後端部から下方に延在する壁部）、底壁部、後壁部（下側部分１３６の後壁部）の内面に沿って配置されている。なお、補強部材８０３、８０５は、いかなる方法で前側保護部７１および後側保護部７６に固定されてもよいが、本実施形態では、補強部材８０３、８０５は、何れも、下側部分１３６と一体成形されることで、前側保護部７１と後側保護部７６に固定されている。
【０１０４】
以上のように構成された本実施形態のハンマドリル１０８によれば、前側保護部７１と後側保護部７６が補強部材８０３、８０５によって夫々補強されているため、前側保護部７１と後側保護部７６が外力を受けた場合に、前側保護部７１と後側保護部７６が損傷する可能性を低減することができる。これにより、バッテリ９が損傷する可能性をより確実に低減することができる。本実施形態では、補強部材８０３、８０５の各々が、本発明の「補強部材」に対応する構成例である。
【０１０５】
なお、補強部材８０３、８０５は、夫々、その少なくとも一部が前側保護部７１と後側保護部７６に配置されていればよい。例えば、補強部材８０３、８０５は、その少なくとも一部が前側保護部７１と後側保護部７６の外面に固定されていてもよい。なお、バッテリ装着部６から下方に突出する前側保護部７１と後側保護部７６が根元で折れる可能性を低減するという観点から、図１１に示すように、補強部材８０３、８０５は、少なくとも一部がバッテリ装着部６よりも上方に延在していると好ましい。
【０１０６】
＜第９実施形態＞
以下、図１２および図１３を参照して、第９実施形態に係るハンマドリル１０９について説明する。本実施形態のハンマドリル１０９は、バッテリ保護部８０の構成が異なる以外、第１実施形態のハンマドリル１０１（図１参照）と概ね同一の構成を有する。上記実施形態では、バッテリ装着部６に着脱可能なバッテリとして、容量が１８ボルトのバッテリ９のみを例示したが、バッテリ装着部６に着脱可能なバッテリは、バッテリ９のみならず、容量やサイズが異なる複数種類が存在する。そこで、本実施形態では、バッテリ保護部８０は、複数種類のバッテリに対応可能に構成されている。
【０１０７】
図１２に示すように、本実施形態のバッテリ保護部８０は、前側保護部８３と後側保護部８８とを含む。前側保護部８３は、ベース部８３１と、ベース部８３１に着脱可能に構成された付加部８３６とを含む。同様に、後側保護部８８は、ベース部８８１と、ベース部８８１に着脱可能に構成された付加部８８６とを含む。
【０１０８】
ベース部８３１、８８１は、夫々、第１実施形態の前側保護部７１と後側保護部７６に対応しており、ハウジング１０（下側部分１３６）の一部として形成され、バッテリ装着部６の前側と後側でバッテリ装着部６よりも下方に延在している。つまり、ベース部８３１、８８１は、バッテリ９がバッテリ装着部６に装着された場合、ベース部８３１、８８１の下面とバッテリ９の下面とが概ね面一となるように構成されている。また、ベース部８３１、８８１の下端部には、夫々、ネジ穴８３２、８８２が形成されている。
【０１０９】
付加部８３６、８８６は、夫々、その上面がベース部８３１、８８１の下面に当接した状態で、ネジ８３９、８８９でベース部８３１、８８１に固定可能に構成されている。具体的には、付加部８３６、８８６には、夫々、上下方向に貫通する段付き穴８３７、８８７が形成されている。段付き穴８３７、８８７に下側からネジ８３９、８８９が挿通され、ベース部８３１、８８１のネジ穴８３２、８８２に螺合されることで、付加部８３６、８８６がベース部８３１、８８１に固定される。なお、付加部８３６、８８６は、ベース部８３１、８８１（つまり、ハウジング１０）と同じ材料で形成されていてもよいし、第２実施形態のように、異なる材料で形成されていてもよい。付加部８３６、８８６は、バッテリ９０３がバッテリ装着部６に装着された場合、ベース部８３１、８８１に固定された付加部８３６、８８６の下面とバッテリ９０３の下面とが概ね面一となるように構成されている。バッテリ９０３は、バッテリ９よりも上下方向の高さが大きい大容量のバッテリである。バッテリ９０３の前後方向の幅および左右方向の長さはバッテリ９と同一である。
【０１１０】
使用者は、バッテリ９を電源として用いる場合には、付加部８３６、８８６がベース部８３１、８８１に固定された状態でハンマドリル１０９を使用してもよいし、ネジ８３９、８８９を外して付加部８３６、８８６をベース部８３１、８８１から取り外した状態で使用してもよい。どちらの場合も、バッテリ保護部８０によって、バッテリ９の隅部領域９０を外力から保護し、バッテリ９が損傷する可能性を低減することができる。また、付加部８３６、８８６をベース部８３１、８８１から取り外した状態で使用することで、ベース部８３１、８８１の下面とバッテリ９の下面を載置面として、ハンマドリル１０９を地面や床面に安定した姿勢で載置することができる。
【０１１１】
一方、使用者は、バッテリ９０３を電源として用いる場合には、付加部８３６、８８６をベース部８３１、８８１に固定してバッテリ保護部８０の高さを大きくすればよい。これにより、バッテリ保護部８０によって、バッテリ９０３の隅部領域９０を外力から保護し、バッテリ９０３が損傷する可能性を低減することができる。また、付加部８３６、８８６の下面とバッテリ９０３の下面を載置面として、ハンマドリル１０９を地面や床面に安定した姿勢で載置することができる。
【０１１２】
なお、バッテリ９およびバッテリ９０３は、バッテリ装着部６に着脱可能なバッテリのうち、前後方向（図１２の左右方向）の幅が最大である。よって、バッテリ保護部８０では、前側保護部８３と後側保護部８８の前後方向の間隔は、バッテリ９、９０３に合わせて設定されている。なお、この点については、上記実施形態のバッテリ保護部７（図１参照）、７０（図３参照）、７００（図５参照）でも同様である。図１３に示すように、バッテリ９、９０３よりも前後方向の幅が小さい小容量のバッテリ９０４がバッテリ装着部６に装着された場合も、バッテリ保護部８０は、バッテリ９０３の隅部領域９０を外力から保護し、バッテリ９０４が損傷する可能性を低減することができる。なお、バッテリ９０４の上下方向の高さおよび左右方向の長さは、バッテリ９と同一であるため、ベース部８３１、８８１の下面とバッテリ９０４の下面とは概ね面一となる。
【０１１３】
以上のように構成された本実施形態のハンマドリル１０９によれば、使用者は、サイズの異なる複数種類のバッテリのうち、バッテリ装着部６に装着されたバッテリのサイズに応じて、バッテリ保護部８０の上下方向の高さを適切に調整することができる。これにより、サイズの異なる複数種類のバッテリのうち、どのバッテリが装着された場合でも、バッテリの隅部領域９０を保護し、損傷の可能性を低減することができる。本実施形態では、バッテリ保護部８０、前側保護部８３、後側保護部８８が、夫々、本発明の「バッテリ保護部」、「前側保護部」、「後側保護部」に対応する構成例である。なお、付加部８３６、８８６は、ベース部８３１、８８１に対してネジ８３９、８８９以外の方法で着脱可能とされていてもよい。
【０１１４】
上記実施形態は単なる例示であり、本発明に係る電動工具は、例示されたハンマドリル１０１〜１０９の構成に限定されるものではない。例えば、下記に例示される変更を加えることができる。なお、これらの変更は、これらのうちいずれか１つのみ、あるいは複数が、実施形態に示すハンマドリル１０１〜１０９、あるいは請求項に記載された発明と組み合わされて採用されうる。
【０１１５】
上記実施形態で例示されたバッテリ保護部７、７０、７００、８、８０は、ハンマドリル１０１〜１０９以外の電動工具に採用されてもよい。電動工具とは、バッテリから供給される電力を使用して動作し、工作等に使用されるツール一般をいう。例えば、バッテリ保護部７、７０、７００、８、８０の何れか１つが、最終出力シャフトを回転駆動するように構成されたいわゆる回転工具（例えば、シャーレンチ）に採用されてもよい。この場合、最終出力シャフトの回転軸が作業軸Ａ１に対応する。
【０１１６】
バッテリ保護部７，７０、７００、８、８０の構成（形状、数、配置位置等）は、バッテリ保護部７，７０、７００、８、８０がバッテリ９、９０３、９０４の少なくとも１つの隅部領域９０を外力から保護可能な範囲において、適宜変更可能である。例えば、第１〜第３および第５〜第９実施形態において、バッテリ保護部７、７０、７００、８０の下端位置は、バッテリ装着部６に装着されたバッテリ９、９０３、９０４の下面よりも下方に配置されてもよい。バッテリ保護部７、７０、７００、８０の左右方向の幅は、バッテリ９、９０３、９０４の左右方向の幅以上とされてもよい。また、第４実施形態において、一対の前側保護部８１および一対の後側保護部８６は、バッテリ９の下面よりも下方で補強用の棒状部材または板状部材によって接続されていてもよい。
【０１１７】
また、第１〜第３および第５〜第９実施形態において、前側保護部７１、７２、７３、８３を、重心Ｇと前側のバッテリ９、９０３、９０４の前側下端部の隅部領域９０とを結ぶ仮想直線に直交し、且つ、隅部領域９０を通る仮想平面から突出するように形成してもよい。この場合、重心Ｇが前側下端部の隅部領域９０に乗った状態でハンマドリルが落下したときにも、前側保護部７１、７２、７３、８３によって、その衝撃から前側下端部の隅部領域９０を効果的に保護することができる。
【０１１８】
なお、使用される先端工具１８の径が比較的大きく、運動変換機構３０としてクランク機構を採用するハンマドリル１０１〜１０９（補助ハンドルを含む）は、２つのバッテリ９を装着した状態の総重量が６ｋｇを超える大型の電動工具である。なお、上述のように、装着されるバッテリ９は容量１８ボルトであるため、バッテリ９自体も比較的重い。また、２つのバッテリ９を装着した状態のハンマドリル１０１〜１０９（補助ハンドルを含む）の総重量は、２つのバッテリ９の重量の５倍を超える。このような重量比となる大型の電動工具では、電動工具が落下したときに、重心がバッテリの隅部領域にのった状態で隅部領域が床や机に衝突すると、落下時のバッテリの損傷の可能性がより高くなる。よって、バッテリを含む電動工具の総重量が、バッテリの重量の５倍を超えるような電動工具（特に、バッテリ装着時の総重量が６ｋｇ以上の電動工具）においては、バッテリ保護部は、バッテリが装着された場合の電動工具の重心とバッテリの隅部領域とを結ぶ仮想直線に直交し、且つ、隅部領域を通る仮想平面よりも、重心から離れる方向に突出するように形成されていることが特に好ましい。
【０１１９】
第３実施形態において、下側部分１３８に取り付けられているカバー部材７９は、設けられなくてもよい。反対に、第１、第２、第４〜第９実施形態の下側部分１３６、１３７、１３９に、同様のカバー部材が取り付けられてもよい。
【０１２０】
第４実施形態において、第２実施形態のように、一対の前側保護部８１および後側保護部８６の全てを、ハウジング１０（下側部分１３９）とは別部材で形成し、ハウジング１０に取り付けてもよい。または、第３実施形態のように、一対の前側保護部８１および後側保護部８６の一部をハウジング１０（下側部分１３９）の一部として形成するとともに、残りの一部をハウジング１０（下側部分１３９）とは別部材で形成し、ハウジング１０に取り付けてもよい。
【０１２１】
バッテリ装着部６、６０に着脱可能なバッテリ９、９０３、９０４の数は、２つに限られるものではなく、１つであっても、３つ以上であってもよい。着脱可能なバッテリ９、９０３、９０４の数が１つのバッテリ装着部が採用される場合、バッテリ保護部は、バッテリ９、９０３、９０４のバッテリ装着部に装着される側の端部（上端部）とは反対側の端部（下端部）の隅部領域９０の少なくとも１つを外力から保護するように構成されていればよいが、全てを外力から保護するように構成されることがより好ましい。また、特に、落下時に重心が乗った状態で衝撃を受ける可能性が高い隅部領域９０に対応する保護部については、上記実施形態で説明した仮想平面よりも突出するように構成することが好ましい。
【０１２２】
バッテリ装着部６、６０のように、複数のバッテリ９、９０３、９０４が所定方向（例えば、作業軸Ａ１の延在方向（前後方向）、作業軸Ａ１と回転軸Ａ２に直交する方向（左右方向））に並んだ状態で着脱可能な場合、複数のバッテリ９、９０３、９０４を１つのバッテリグループとみなしてもよい。この場合、バッテリグループのバッテリ装着部に着脱される一端部（上端部）とは反対側の端部（下端部）の少なくとも１つの隅部領域９０を外力から保護するように構成されたバッテリ保護部が設けられればよい。
【０１２３】
バッテリグループの場合、バッテリ保護部は、バッテリグループ全体としての下端部の隅部領域９０の全てを外力から保護するように構成されることがより好ましい。言い換えると、バッテリ保護部は、バッテリグループを構成する複数のバッテリ９、９０３、９０４のうち、所定方向（バッテリ９、９０３、９０４の並列方向）において第１方向側の端に配置されたバッテリ９の第１方向側の下端部の隅部領域９０、および、複数のバッテリ９、９０３、９０４のうち、所定方向において第１方向とは反対の第２方向側の端に配置されたバッテリ９、９０３、９０４の第２方向側の下端部の隅部領域９０を外力から保護するように構成されていると好ましい。
【０１２４】
例えば、略直方体形状の複数のバッテリ９、９０３、９０４が前後方向に並んだ状態で着脱される場合には、バッテリグループにおいて、最前方に配置されたバッテリ９、９０３、９０４の前側下端部の２つの隅部領域９０と、最後方に配置されたバッテリ９の後側下端部の２つの隅部領域９０とを保護することが好ましい。この場合、バッテリ保護部は、第１〜第３および第５〜第９実施形態のように、夫々が２つの隅部領域９０を保護する２つの部分を含んでもよいし、第４実施形態のように、夫々が１つの隅部領域９０を保護する４つの部分を含んでもよい。また、バッテリ保護部は、１つまたは３つの部分で４つの隅部領域を保護するように構成されてもよい。直方体形状とは異なる形状のバッテリが着脱される場合、バッテリ保護部の構成は、そのバッテリの隅部領域の数と位置に応じて適宜、変更されればよい。
【０１２５】
また、上記実施形態では、相対移動可能に弾性連結された第１ハウジング部１１および第２ハウジング部１３を含むハウジング１０が例示されているが、ハウジング１０は必ずしもこのようないわゆる防振ハウジングとして構成される必要はない。防振ハウジング構造が採用される場合であっても、その構成は適宜変更が可能である。例えば、下側部分１３６、１３７、１３８、１３９は、モータ収容部１１１と一体的に、第１ハウジング部１１の一部として形成され、把持部１３１および上側部分１３３を含む第２ハウジング部１３が第１ハウジング部１１に対して相対移動可能に弾性連結されていてもよい。この場合、バッテリ保護部７、７０、７００、８、８０は、第２ハウジング部１３ではなく、第１ハウジング部１１に設けられてもよい。なお、上記実施形態のように、防振ハウジングにおいて、振動源（モータ２や駆動機構３）が収容される第１ハウジングに対して弾性連結された第２ハウジングにバッテリ装着部およびバッテリ保護部が設けられた場合には、チャタリング防止や防振効果向上の効果を得ることができる点で好ましい。
【０１２６】
更に、本発明および上記実施形態の趣旨に鑑み、以下の態様が構築される。以下の態様が、実施形態に示すハンマドリル１０１〜１０９、上記変更例、または各請求項に記載された発明と組み合わされて採用されうる。
＜態様１＞
前記作業軸が水平方向に延在し、前記回転軸が上下方向に延在するように前記電動工具が配置された場合、前記バッテリ装着部は前記モータに対して下側に配置され、
前記バッテリ装着部は、前記少なくとも１つのバッテリを含むバッテリグループの上端部が前記バッテリ装着部に装着され、且つ、前記バッテリグループの下端部が前記ハウジングから露出するように構成されており、
前記バッテリ保護部は、前記バッテリグループの前記下端部の全ての隅部領域を外力から保護するように構成されていてもよい。
＜態様２＞
前記作業軸が水平方向に延在し、前記回転軸が上下方向に延在するように前記電動工具が配置された場合、前記バッテリ装着部は前記モータに対して下側に配置され、
前記バッテリ装着部は、所定方向に並んだ状態の複数のバッテリの上端部が前記バッテリ装着部に装着され、且つ、前記複数のバッテリの下端部が前記ハウジングから露出するように構成されており、
前記バッテリ保護部は、前記複数のバッテリのうち、前記所定方向において第１方向側の端に配置されたバッテリの前記第１方向側の下端部の隅部領域、および、前記複数のバッテリのうち、前記所定方向において前記第１方向とは反対の第２方向側の端に配置されたバッテリの前記第２方向側の下端部の隅部領域を外力から保護するように構成されていてもよい。
＜態様３＞
態様２において、
前記所定方向は前記前後方向であって、
前記バッテリ保護部は、前記複数のバッテリのうち、最前方に配置されたバッテリの前側下端部の隅部領域、および、前記複数のバッテリのうち、最後方に配置されたバッテリの後側下端部の隅部領域を外力から保護するように構成されていてもよい。
＜態様４＞
前記電動工具は、前記バッテリ装着部に前記バッテリが装着された場合の前記バッテリを含む総重量が、前記バッテリの重量の５倍を超える電動工具であって、
前記バッテリ保護部は、前記バッテリが前記バッテリ装着部に装着された場合の前記電動工具の重心と前記隅部領域とを結ぶ仮想直線に直交し、且つ、前記隅部領域を通る仮想平面よりも、前記重心から離れる方向に突出するように形成されていてもよい。
＜態様５＞
態様４において、
前記電動工具は、先端工具を着脱可能に構成され、且つ、打撃子を介して前記先端工具を前記作業軸に沿って直線状に駆動するように構成された打撃工具であって、前記ハウジングに収容され、前記モータの回転動力を直線運動に変換し、前記打撃子に伝達するように構成されたクランク機構を備えていてもよい。
＜態様６＞
前記バッテリ保護部は、前記前後方向において、前記バッテリ装着部に対して後側に配置された後側保護部を含み、
前記後側保護部は、前記バッテリが前記バッテリ装着部に装着された場合の前記電動工具の重心と前記隅部領域とを結ぶ仮想直線に直交し、且つ、前記隅部領域を通る仮想平面よりも、前記重心から離れる方向に突出するように形成されていてもよい。
【符号の説明】
【０１２７】
１０１、１０２、１０３、１０４、１０５、１０６、１０７、１０８、１０９：ハンマドリル
２：モータ
２５：モータシャフト
２９：駆動ギア
３：駆動機構
３０：運動変換機構
３１：クランクシャフト
３２：連接ロッド
３３：ピストン
３４：ツールホルダ
３５：シリンダ
３６：打撃要素
３６１：ストライカ
３６３：インパクトボルト
３６５：空気室
３８：回転伝達機構
４：モード切替ダイヤル
４１：第１バネ
４２：第２バネ
４６：上側摺動部
４７：下側摺動部
５：コントローラ
６、６０：バッテリ装着部
６１、６２：前側装着部
６６、６７：後側装着部
６０１：フック係合部
６０３：ガイドレール
６０５：バッテリ接続端子
７、７０、７００、８、８０：バッテリ保護部
７１、７２、７３、８１、８３：前側保護部
７６、７７、７８、８６、８８：後側保護部
８３１、８８１：ベース部
８３２、８８２：ネジ穴
８３６、８８６：付加部
８３７、８８７：段付き穴
８３９、８８９：ネジ
７１１：無線連動ユニット
７１２：ＵＳＢ端子
７１３：距離センサ
７３１：段差部
８０１：補強リブ
８０３、８０５：補強部材
７９：カバー部材
７９１：下面部
７９２：側面部
７９３：上面部
９、９０３、９０４：バッテリ
９０：隅部領域
９１：フック
９３：ガイド溝
９５：ボタン
９００、９０１：バッテリグループ
１０：ハウジング
１１：第１ハウジング部
１１１：モータ収容部
１１７：駆動機構収容部
１３：第２ハウジング部
１３１：把持部
１３３：上側部分
１３４：バレル部
１３６、１３７、１３８、１３９：下側部分
１４：トリガ
１４５：スイッチ
１８：先端工具
Ａ１：作業軸
Ａ２：回転軸
Ｇ：重心
【図１】
2018079557.tif 000003
【図２】
2018079557.tif 000004
【図３】
2018079557.tif 000005
【図４】
2018079557.tif 000006
【図５】
2018079557.tif 000007
【図６】
2018079557.tif 000008
【図７】
2018079557.tif 000009
【図８】
2018079557.tif 000010
【図９】
2018079557.tif 000011
【図１０】
2018079557.tif 000012
【図１１】
2018079557.tif 000013
【図１２】
2018079557.tif 000014
【図１３】
2018079557.tif 000015